(57)【要約】【課題】部品の追加による組立工数の増加やコストアップを招くことなく、簡単な構成で遮音効果を高めることができる画像形成装置を提供すること。【解決手段】装置本体１に開口する開口部１ａを介して給紙カセット２を装置本体１内に引き出し可能に装填して成る画像形成装置において、前記装置本体１の開口部１ａの周縁の一部と前記給紙カセット２の一部とを凹凸嵌合させて装置本体１の開口部１ａと給紙カセット２との間に形成される隙間δを塞ぐ。例えば、前記装置本体１の開口部１ａ上縁に臨むマルチフレーム下１１に凹部１１ａを幅方向に沿って形成し、前記給紙カセット２の長手方向一端上部に凸部１２ａを幅方向に沿って形成し、該給紙カセット２の装置本体１への装填によって前記凹部１１ａと前記凸部１２ａとを嵌合させる。【選択図】図３
2014139095.tif 000002
【特許請求の範囲】
【請求項１】
装置本体に開口する開口部を介して給紙カセットを装置本体内に引き出し可能に装填して成る画像形成装置において、
前記装置本体の開口部周縁の一部と前記給紙カセットの一部とを凹凸嵌合させて装置本体の開口部と給紙カセットとの間に形成される隙間を塞いだことを特徴とする画像形成装置。
【請求項２】
前記装置本体の開口部上縁に臨むフレームに凹部を幅方向に沿って形成し、前記給紙カセットの長手方向一端上部に凸部を幅方向に沿って形成し、該給紙カセットの装置本体への装填によって前記凹部と前記凸部とを嵌合させることを特徴とする請求項１記載の画像形成装置。
【請求項３】
マルチフレームの下端に前記凹部を形成し、前記給紙カセットの意匠カバーに前記凸部を形成したことを特徴とする請求凹２記載の画像形成装置。
【発明の詳細な説明】
【技術分野】
【０００１】
本発明は、用紙を収容する給紙カセットを装置本体内に引き出し可能に装填して成る画像形成装置に関するものである。
【背景技術】
【０００２】
電子写真方式によって用紙に画像を形成する複写機やプリンター、ファクシミリ等の画像形成装置においては、用紙を積載収容した給紙カセットを装置本体に開口する開口部を介して装置本体内に引き出し可能に装填されている。ここで、給紙カセットを装置本体に対して円滑に着脱することができるように、装置本体の開口部と給紙カセットとの間には若干の隙間が設けられている。
【０００３】
しかしながら、装置本体の開口部と給紙カセットとの間に隙間が設けられていると、給紙カセットから１枚ずつ取り出されて搬送され際の搬送音が隙間から外部に漏れ出るという問題が発生していた。
【０００４】
そこで、特許文献１には、装置本体の開口部と給紙カセットとの間の隙間をスポンジ等の弾性部材で塞ぎ、装置本体内で発生する用紙の搬送音を弾性部材によって球凹するという提案がなされている。
【先行技術文献】
【特許文献】
【０００５】
【特許文献１】特開２００６−１５４５５７号公報
【発明の概要】
【発明が解決しようとする課題】
【０００６】
ところが、特許文献１において提案されているような装置本体の開口部と給紙カセットとの間の隙間をスポンジ等の弾性部材で塞ぐ構成を採用する場合、組立工数が増加してコストアップを招くという問題が発生する。
【０００７】
本発明は上記問題に鑑みてなされたもので、その目的とする処は、部品の追加による組立工数の増加やコストアップを招くことなく、簡単な構成で遮音効果を高めることができる画像形成装置を提供することにある。
【課題を解決するための手段】
【０００８】
上記目的を達成するため、請求項１記載の発明は、装置本体に開口する開口部を介して給紙カセットを装置本体内に引き出し可能に装填して成る画像形成装置において、前記装置本体の開口部周縁の一部と前記給紙カセットの一部とを凹凸嵌合させて装置本体の開口部と給紙カセットとの間に形成される隙間を塞いだことを特徴とする。
【０００９】
請求項２記載の発明は、請求項１記載の発明において、前記装置本体の開口部上縁に臨むフレームに凹部を幅方向に沿って形成し、前記給紙カセットの長手方向一端上部に凸部を幅方向に沿って形成し、該給紙カセットの装置本体への装填によって前記凹部と前記凸部とを嵌合させることを特徴とする。
【００１０】
請求項３記載の発明は、請求項２記載の発明において、マルチフレームの下端に前記凹部を形成し、前記給紙カセットの意匠カバーに前記凸部を形成したことを特徴とする。
【発明の効果】
【００１１】
本発明によれば、装置本体の開口部周縁の一部と給紙カセットの一部とを凹凸嵌合させて装置本体の開口部と給紙カセットとの間に形成される隙間を塞ぐようにしたため、部品の追加による組立工数の増加やコストアップを招くことなく、簡単な構成で遮音効果を高め、装置本体内で発生する用紙の搬送音の隙間からの漏れ出しを防ぐことができる。
【図面の簡単な説明】
【００１２】
【図１】本発明に係る画像形成装置の給紙カセットを取り外した状態の斜視図である。
【図２】本発明に係る画像形成装置の給紙カセット部分の斜視図である。
【図３】本発明に係る画像形成装置の給紙カセット部分の側断面図。
【図４】図３のＡ部拡大詳細図である。
【図５】本発明に係る画像形成装置の装置本体側フレームの斜視図である。
【図６】本発明に係る画像形成装置の装置本体側フレームの構成部品の斜視図である。
【図７】本発明に係る画像形成装置の給紙カセットの斜視図である。
【図８】本発明に係る画像形成装置の給紙カセットの構成部品の斜視図である。
【発明を実施するための形態】
【００１３】
以下に本発明の実施の形態を添付図面に基づいて説明する。
【００１４】
図１は本発明に係る画像形成装置の給紙カセットを取り外した状態の斜視図、図２は同画像形成装置の給紙カセット部分の斜視図、図３は同画像形成装置の給紙カセット部分の側断面図、図４は図３のＡ部拡大詳細図、図５は同画像形成装置の装置本体側フレームの斜視図、図６は同装置本体側フレームの構成部品の斜視図、図７は給紙カセットの斜視図、図８は同給紙カセットの構成部品の斜視図である。
【００１５】
本発明に係る画像形成装置は、電子写真方式によって用紙に画像を形成するものであって、図示しないが、その装置本体１内には、電子写真方式によって画像を形成する画像形成部、該画像形成部に向けて用紙を給送する給紙部、画像形成部に給送された用紙に転写されたトナー像を定着する定着部、該定着部においてトナー像が定着された用紙を排紙トレイへと排出する排紙部等が収納されている。尚、画像形成部は、その表面上に画像情報に応じた静電潜像が形成される感光ドラム等の像担持体、該像担持体の表面を一様に帯電する帯電器、像担持体上に形成された静電潜像をトナーを用いて現像してトナー像として顕像化する現像装置、像担持体上に担持されたトナー像を用紙上に転写する転写器、トナー像転写後の像担持体上に残留するトナー（転写残トナー）を除去するクリーニング装置等によって構成されている。
【００１６】
ところで、斯かる画像形成装置の装置本体１の下部には、図１〜図３に示すように、外部に開放された矩形の開口部１ａが形成されており、この開口部１ａを介して給紙カセット２が装置本体１内に装填され、用紙の補充等に際しては給紙カセット２を開口部１ａから装置本体１外へと図２の左方（手前側）に引き出すことができる。
【００１７】
ここで、給紙カセット２は、図７に示すように、上面が開口する扁平な略矩形ボックス状のカセット本体２Ａを備えており、支点２ａを中心として揺動可能な用紙積載板３と、該用紙積載板３上に積載された用紙の両側部に当接して該用紙の幅を揃えるためのスライド可能な一対のサイドカーソル４と用紙搬送方向にスライド可能で、用紙の後端に当接して該用紙の前後を揃えるためのスライド可能なエンドカーソル５が設けられている。
【００１８】
ところで、図３に示すように、装置本体１側には、給紙カセット２に積層状態で収容された用紙を上から１枚ずつ取り出すピックアップローラー６と、用紙の重送を防ぐためのフィードローラー７とリタードローラー８が回転可能に配置されている。又、装置本体１の開口部１ａの上側には、下端部を中心として手前側に倒すことができる手差しトレイ９が設けられており、この手差しトレイ９にはマルチフレーム上１０とマルチフレーム下１１が組み込まれている。尚、マルチフレーム上１０とマルチフレーム下１１は、マルチユニットのフレームを構成するものであって、マルチユニットは、手差し給紙用のユニットであって、これは不図示の給紙ローラーとリタードローラーを備えている。
【００１９】
装置本体１の開口部１ａの上縁に臨むマルチフレーム下１１の下端部には、図５及び図６に示すように、装置本体１の開口部１ａに向かって（図５及び図６の手前側に向かって）開口する溝状の凹部１１ａが幅方向に沿って水平に形成されている。尚、この凹部１１ａは、マルチフレーム下１１の補強部分を利用して設けられたものである。
【００２０】
他方、給紙カセット２のカセット本体２Ａの手前側上部には、図８に示す噛み合い部材１２が装着されており、この噛み合い部材１２の上面には矩形の枠体１２Ａが設けられている。そして、この枠体１２Ａの端部からは給紙カセット２の装着方向(図３の右方)に向かって水平に延びるプレート状の凸部１２ａが幅方向に沿って突設されている。尚、噛み合い部材１２には、垂直下方に延びる３つのフック１２ｂが幅方向に適当な間隔で突設されており、これらのフック１２ｂをカセット本体２Ａ側の不図示の係合孔に係合させることによって噛み合い部材１２が図７に示すようにカセット本体２Ａに装着される。ここで、噛み合い部材１２は、給紙カセット２の意匠カバーを兼用するものである。
【００２１】
而して、装置本体１から取り出された給紙カセット２を装置本体１に開口する開口部１ａから差し込んでこれを奥側（図３の右側）に押し込むと、該給紙カセット２が図３に示すように装置本体１内に装填される。尚、このとき、給紙カセット２の装置本体１に対する着脱がスムーズになされるように、装置本体１の開口部１ａの上辺と給紙カセット２との間には幅方向に延びる隙間δが形成されている。
【００２２】
ところで、本実施の形態では、給紙カセット２の噛み合い部材１２には水平な凸部１２ａが幅方向に沿って内側（給紙カセット２の内側）に向かって突設されており、装置本体１側のマルチフレーム下１１には凹部１１ａが幅方向に沿って形成されているため、図３に示すように給紙カセット２を装置本体１内に装填すると、図４に詳細に示すように給紙カセット２側の噛み合い部材１２に形成された凸部１２ａが装置本体１側のマルチフレーム下１１に形成された凹部１１ａに嵌合する。このため、装置本体１の開口部１ａと給紙カセット２との間に形成された隙間δが給紙カセット２側の凸部１２ａと装置本体１側の凹部１１ａとの嵌合によって塞がれる。このため、本発明に係る画像形成装置によれば、装置本体１の開口部１ａと給紙カセット２との間の隙間δをスポンジ等の弾性部材によって塞ぐ必要がない。そして、噛み合い部材１２は給紙カセット２に既設の意匠カバーを兼用したものであって、追加部材ではないため、部品の追加による組立工数の増加やコストアップを招くことなく、簡単な構成で遮音効果を高め、装置本体１内で発生する用紙の搬送音の隙間δからの漏れ出しを防ぐことができるという効果が得られる。
【符号の説明】
【００２３】
１      装置本体
１ａ    装置本体の開口部
２      給紙カセット
２ａ    給紙カセットの支点
２Ａ    給紙カセットのカセット本体
３      用紙積載板
４      サイドカーソル
５      エンドカーソル
６      ピックアップローラー
７      フィードローラー
８      リタードローラー
９      手差しトレイ
１０    マルチフレーム上
１１    マルチフレーム下
１１ａ  マルチフレームの凹部
１２    噛み合い部材
１２Ａ  噛み合い部材の枠体
１２ａ  噛み合い部材の凸部
１２ｂ  噛み合い部材のフック
δ      隙間
【図１】
2014139095.tif 000003
【図２】
2014139095.tif 000004
【図３】
2014139095.tif 000005
【図４】
2014139095.tif 000006
【図５】
2014139095.tif 000007
【図６】
2014139095.tif 000008
【図７】
2014139095.tif 000009
【図８】
2014139095.tif 000010